(57)【要約】【課題】カメラを用いることなく、どのような人がどのような動線をとるかを大まかに判断し、それに合わせたコンテンツ情報を表示させる。【解決手段】圧力検知部１０１により圧力を検知し、靴型情報生成部１０３にて人の足により圧力がかかった場合に靴型情報を生成し、靴型情報生成部１０３により生成した靴型情報から靴型の属性を判断する動体識別装置１０を複数備え、同じ靴型の属性が検出された動体識別装置１０同士を結んだものを動線情報として判断し、動体識別装置の近傍に備えられた表示装置４０に、動線情報または靴型の属性の情報に適合したコンテンツ情報を表示する。【選択図】図２
2010218177.tif 000002
【特許請求の範囲】
【請求項１】
圧力を検知する圧力検知部と、
前記圧力検知部において人の足により圧力がかかった場合に靴型情報を生成する靴型情報生成部と、
前記靴型情報生成部により生成した靴型情報から、靴型の属性を判断する属性判断部と
を備えたことを特徴とする動体識別装置。
【請求項２】
前記属性判断部は、性別、年齢、向き、大きさ、圧力のうちのいずれか１つを靴型の属性として判断することを特徴とする請求項１に記載の移動体識別装置。
【請求項３】
圧力を検知する圧力検知部と、
前記圧力検知部において人の足により圧力がかかった場合に靴型情報を生成する靴型情報生成部と、
前記靴型情報生成部により生成した靴型情報から、靴型の属性を判断する属性判断部と
を備えた動体識別装置を複数設置し、
前記動体識別装置の属性判断部により同じ靴型の属性が検出された動体識別装置同士を結んだものを動線情報として判断することを特徴とする動線検知システム。
【請求項４】
前記動体識別装置の近傍に表示装置を備え、
前記動線情報に基づき、次に訪れると予測される動体識別装置近傍の表示装置に、動線情報または靴型の属性の情報に適合したコンテンツ情報を表示することを特徴とする請求項３に記載の動線検知システム。
【発明の詳細な説明】
【技術分野】
【０００１】
本発明は、施設内での対象物の動線の検知を行う動体識別装置および動線検知システムに関する。
【背景技術】
【０００２】
近年、設置場所の地域性を考慮した視聴者ターゲットを絞り、その特定層に焦点を絞った映像等を用いた広告メッセージ（コンテンツ）をディスプレイに表示するデジタルサイネージの普及が進み、駅構内や街角、店舗等に設置されたディスプレイに様々なコンテンツが表示されるようになってきた。このデジタルサイネージを用いて、金融営業店の店舗内における顧客の動線をカメラからの撮影した画像に基づき追跡すると同時に、店舗内の取引データを関連付けることにより人物を特定し、その人物用にカスタマイズした広告をディスプレイに表示するものが考えられている（例えば、特許文献１参照）。
【先行技術文献】
【特許文献】
【０００３】
【特許文献１】特開２００６−２１５８４２号公報
【発明の概要】
【発明が解決しようとする課題】
【０００４】
しかし、カメラから撮影した画像に基づき制御する場合には、視聴者（顧客）を撮影するための最適な場所に、カメラを容易に設置できるとは限らない。つまり、既存の建物内においては、カメラ設置のための工事が必要な場合があり、最適な場所にカメラを設置することが困難になる場合がある。
【０００５】
更には、カメラで人物を撮影すると、個人によっては、カメラで撮影されることに不快感を有する人がおり、また、個人が特定されるため個人情報等の問題が発生し、その情報の取り扱いを厳重にする必要があるという問題点がある。
【０００６】
また、カメラで人物を撮影する場合は、画像処理を行うなど複雑な処理が必要となり、高性能なシステムが必要となりシステム全体のコストが高くなるという問題点がる。
【０００７】
本発明は、前述問題点に鑑みてなされたものであり、その目的は、カメラを用いることなく、どのような人がどのような動線をとるかを大まかに判断し、それに合わせたコンテンツ情報を表示させるものを提供するものである。
【課題を解決するための手段】
【０００８】
本発明は、圧力を検知する圧力検知部と、前記圧力検知部において人の足により圧力がかかった場合に靴型情報を生成する靴型情報生成部と、前記靴型情報生成部により生成した靴型情報から、靴型の属性を判断する属性判断部とを備えるものである。
【０００９】
これにより、靴の形や大きさ、踏む圧力（体重）により、大まかな性別や年齢を識別でき、更には、靴の向きにより、大まかな移動方向が識別できる。
【００１０】
また、本発明は、前記属性判断部は、性別、年齢、向き、大きさ、圧力のうちのいずれか１つを靴型の属性として判断するものである。
【００１１】
これにより、適切なコンテンツ情報を抽出できる。
【００１２】
また、本発明は、圧力を検知する圧力検知部と、前記圧力検知部において人の足により圧力がかかった場合に靴型情報を生成する靴型情報生成部と、前記靴型情報生成部により生成した靴型情報から、靴型の属性を判断する属性判断部とを備えた動体識別装置を複数設置し、前記動体識別装置の属性判断部により同じ靴型の属性が検出された動体識別装置同士を結んだものを動線情報として判断するものである。
【００１３】
これにより、動線の検出ができる。
【００１４】
また、本発明は、前記動体識別装置の近傍に表示装置を備え、前記動線情報に基づき、次に訪れると予測される動体識別装置近傍の表示装置に、動線情報または靴型の属性の情報に適合したコンテンツ情報を表示するものである。
【００１５】
これにより、大まかな性別や年齢、動線により、次に訪れると予測される場所に、適切なコンテンツ情報を表示できる。
【発明の効果】
【００１６】
本発明によれば、靴型により判断するため、設置が容易である。また、取得する情報は、靴型等だけであるため、複雑な処理は必要とせず、個人情報としては、カメラで撮影した画像データに比べてデータの取り扱いは容易となる。
【図面の簡単な説明】
【００１７】
【図１】本発明の実施例に係るシステムの概略構成を示す図である。
【図２】本発明の実施例に係る各装置の機能ブロック図である。
【図３】本発明の実施例に係る動線解析の処理の一例を示すフローチャートである。
【発明を実施するための形態】
【００１８】
本発明の動体識別装置および動線検知システムについて図を用いて説明する。
【００１９】
図１は、本実施の形態のシステムを概略的に示したものである。
【００２０】
本システムは、スーパー等の店舗に設置され、顧客に合わせたコンテンツを配信するシステムである。本システムは、靴型識別装置１０（動体識別装置とも称す）、動線解析サーバ２０、コンテンツ配信サーバ３０、表示装置４０を備える。なお、靴型識別装置１０及び表示装置４０は複数備えられている。
【００２１】
靴型識別装置１０は、マット状であり、店舗の出入り口及び店舗内の各所に配置されており、靴型識別装置１０の近傍には表示装置４０も設置されている。靴型識別装置１０は、その上を歩く顧客の靴の形を識別し、その結果から抽出した靴型データを動線解析サーバ２０に送信する。
【００２２】
動線解析サーバ２０は、靴型識別装置１０から受信した靴型データを解析し、マット上を歩く顧客の属性や滞在時間、移動方向等を解析する。解析した情報はコンテンツ配信サーバ３０に送信され、顧客にとって最適なコンテンツを判断する際の参考にされる。
【００２３】
コンテンツ配信サーバ３０は、表示装置４０にて再生すべきコンテンツを指示する。ここで再生されるコンテンツは、店舗内で販売している商品に関する情報等を含んでいるものとする。表示装置４０でコンテンツを再生させる際、表示装置４０に対して再生コンテンツを送信してもよいし、表示装置４０内部に保持しているコンテンツの再生を指示してもよい。
【００２４】
表示装置４０は、コンテンツ配信サーバ３０からの指示に基づきコンテンツを再生させる。
【００２５】
次に、図２は、各装置の機能ブロックを説明したものである。
【００２６】
靴型識別装置１０は、圧力検知部１０１、靴型情報生成部１０３、靴型データ送信部１０５を備えている。
【００２７】
圧力検知部１０１は、デジタイザと同様の機能を有している。つまり、縦方向と横方向でセンサが積層されており、上部から圧力がかかると、縦方向と横方向のセンサが接触し、圧力がかかった部分を認識できる。この圧力検知部１０１は、靴型識別装置１０全体を覆っており、店舗内の床上に設置され、店舗を訪れた顧客がその上を歩く。靴型情報生成部１０３は、圧力検知部１０１にかかる圧力を検知することにより、圧力検知部１０１を踏んだ靴型を検知し、靴型情報を生成する。靴型の検知は、例えば１００ミリ秒ごとの一定間隔で行われるものとする。この靴型データとは、圧力、大きさ、形を示す数値を含んでいる。靴型情報生成部１０３で生成された靴型データは、靴型データ送信部１０５から動線解析サーバ２０に送信される。
【００２８】
動線解析サーバ２０は、靴型データ受信部２０１、靴型データ解析部２０３、靴型属性データ記憶部２０５、滞在データ記憶部２０７、滞在顧客情報送信部２０９を備えている。
【００２９】
靴型データ受信部２０１は、靴型識別装置１０からの靴型データを受信し、靴型データ解析部２０３に出力する。靴型データ解析部２０３は、靴型データ受信部２０１から出力された靴型データの解析を行う。具体的には、靴型データを、靴型属性データ記憶部２０５に予め記憶されている靴型判断テーブルを参照して、靴型の属性（性別、年齢など）を判断する。ここで、靴型判断テーブルは、どのような靴の種類（例えば、運動靴、ハイヒール、革靴など）であるかを判定するためのサンプルデータと、サンプルデータから推測した靴の種類、靴型の大きさ（長さ）、圧力（重さ）などの組み合わせと属性を対応付ける対応情報とを含む。このサンプルデータは、靴メーカーから得た靴型データであってもよいし、過去のデータを蓄積したものでもよい。靴型データ解析部２０３は、滞在データ記憶部２０７に保持されている滞在データの更新を行う。なお、靴型データ解析部２０３は、滞在データ記憶部２０７が保持している滞在データに、当該靴型データと同じ靴型を示す滞在データがあるかを判断し、保持していない場合には、新たに生成して、滞在データ記憶部２０７に保持する。ここで、滞在データは、靴型詳細データ（店舗から出たと判断すると削除）、性別、年齢、滞在時間、移動方向、経路、現在位置状態、滞留時間を含む。靴型詳細データとは、靴型識別装置１０において生成された靴型データである。性別、年齢は、靴型データ解析部２０３において解析した情報である。靴型データは左右の靴２つで一対であり、靴型詳細データは１つの滞在データにつき２つ含むこととなる。なお、２つの靴型データの対応付けは靴型属性データ記憶部２０５に予め記憶されている靴型判断テーブルを参考にして行われる。また、靴型データが、靴によるものではないと判断した場合、当該靴型データを削除し、滞在データの生成も行わない。滞在時間は、初めて靴型が検知されてから最後に検知された時間を示している。移動方向、経路とは、靴型識別装置１０の圧力検知部１０１の上を靴型がどの程度の時間をかけてどのように移動したかを示す情報である。状態とは、滞在、移動、終了（店舗から出た）の何れかであり、靴型識別装置１０の圧力検知部１０１の上に靴型がある場合は滞在、その後靴型が離れた場合は移動、移動状態が一定時間以上続く場合、既に動線検知システムから遠く離れたと判断し終了にする。滞留時間とは、状態が連続して滞在である場合、つまり、靴型識別装置１０の圧力検知部１０１上に靴型が検知され、そのまま動かない時間を示すものである。このデータにより、当該滞在データ対応する顧客が走っているのか歩いているのか等の判断ができる。
【００３０】
靴型データ解析部２０３において生成された滞在データは、滞在データ記憶部２０７に保持される。滞在データ記憶部２０７が保持している滞在データは滞在顧客情報送信部２０９によって参照される。
【００３１】
滞在顧客情報送信部２０９は、滞在データ記憶部２０７が保持している滞在データに基づき滞在顧客情報を生成する。滞在顧客情報とは、店舗内に滞在している顧客の属性と人数を示す店舗内顧客情報、靴型識別装置１０およびその近傍に居ると考えられる顧客の属性と人数を示すマット周辺顧客情報を含む。店舗内顧客情報は、店舗出入口付近に設置されている靴型識別装置１０で検知された滞在データに基づき生成され、店舗に入ってきた顧客と、店舗から出て行く顧客を把握することにより生成される。マット周辺顧客情報は、靴型識別装置１０毎に生成され、状態が滞在、移動となっている滞在データにより生成される。
【００３２】
滞在顧客情報送信部２０９は、生成した滞在顧客情報をコンテンツ配信サーバ３０に送信する。
【００３３】
滞在データ記憶部２０７が保持している滞在データは、滞在顧客情報送信部２０９が滞在顧客情報を生成する際に用いられ、表示装置４０において再生するコンテンツの選択に用いられるが、その他、来店した顧客の属性、動きなどが分かるため、販売促進のためのデータとしても用いることができる。
【００３４】
コンテンツ配信サーバ３０は、滞在顧客情報受信部３０１、再生コンテンツ判断部３０３、属性・コンテンツ対応テーブル記憶部３０５、コンテンツ再生履歴情報記憶部３０７、表示装置制御情報送信部３０９を備えている。
【００３５】
滞在顧客情報受信部３０１は、動線解析サーバ２０からの滞在顧客情報を受信し、受信した滞在顧客情報を再生コンテンツ判断部３０３に出力する。
【００３６】
再生コンテンツ判断部３０３は、滞在顧客情報受信部３０１から出力された滞在顧客情報に基づき、各表示装置４０がどのようなコンテンツを再生すべきかを判断する。この判断は、属性・コンテンツ対応テーブル記憶部３０５が保持している属性・コンテンツ対応テーブルに基づいて行われる。ここで、属性・コンテンツ対応テーブルは、属性（性別、年齢など）毎に効果があると考えられるコンテンツを対応付けたものである。
【００３７】
再生コンテンツ判断部３０３は、滞在顧客情報に基づき店舗全体の表示装置４０が再生すべきコンテンツを判断する。また、周辺に靴型識別装置１０が設置されている表示装置４０については、当該靴型識別装置１０に対応するマット周辺顧客情報に基づいて判断する。また、再生コンテンツ判断部３０３は、各表示装置４０が再生するコンテンツの効果も判断する。具体的には、滞在顧客情報受信部３０１が受信する滞在顧客情報から、当該表示装置４０の周辺に設置されている靴型識別装置１０のマット周辺顧客情報を抽出し、顧客の滞在時間を取得する。そして、滞在時間が一定時間以上であれば、当該顧客と同じ属性に対してその時再生したコンテンツは有効であると判断する。この判断結果は、属性・コンテンツ対応テーブル記憶部３０５の属性・コンテンツ対応テーブルに反映される。なお、再生していたコンテンツに関する情報は、コンテンツ再生履歴情報記憶部３０７が保持しているコンテンツ再生履歴情報から判断する。
【００３８】
属性・コンテンツ対応テーブル記憶部３０５は、属性・コンテンツ対応テーブルを保持している。
【００３９】
表示装置制御情報送信部３０９は、再生コンテンツ判断部３０３により最適とされるコンテンツの再生指示する表示装置制御情報を各表示装置４０に送信する。
【００４０】
表示装置４０は、表示装置制御情報受信部４０１、コンテンツ再生部４０３、コンテンツ記憶部４０５を備えている。
【００４１】
表示装置制御情報受信部４０１は、コンテンツ配信サーバ３０からの表示装置制御情報を受信し、コンテンツ再生部４０３に出力する。
【００４２】
コンテンツ再生部４０３は、表示装置制御情報受信部４０１から出力された表示装置制御情報に基づきコンテンツを再生する。
【００４３】
コンテンツ記憶部４０５は、コンテンツ再生部４０３にて再生すべきコンテンツを予め保持している。なお、表示装置４０がコンテンツ記憶部４０５を備えず、コンテンツ配信サーバ３０からコンテンツを逐次配信してもよい。
【００４４】
次に、本システムにおける動線解析サーバ２０の動作について説明する。図３は、動線解析の処理を示すフローチャートである。
【００４５】
靴型識別装置１０から受信する滞在データに、検知した靴型に関する情報があるかを判断し（Ｓ５０１）、ある場合（Ｓ５０１Ｙｅｓ）は、当該靴型の属性を判断する（Ｓ５０２）。判断した属性に基づき、その靴型が新規の靴型であるかを判断する（Ｓ５０３）。具体的には、滞在データ記憶部２０７が保持している滞在データの状態が、「滞在」もしくは「移動」となっている靴型と同じであるかを判断し、同じ靴型に対応する滞在データがない場合は新規の靴型と判断する。新規である場合（Ｓ５０３Ｙｅｓ）は、滞在データを登録し（Ｓ５０４）、滞在データの状態を「滞留」に設定する（Ｓ５０５）。一方、新規の靴型ではない場合（Ｓ５０３Ｎｏ）は、滞在データから移動方向、速度を判断し（Ｓ５０６）、滞在データの更新を行う（Ｓ５０７）。
【００４６】
その後、検知されなくなった靴型がないか、つまり、離れた靴型がないかを判断する（Ｓ５０８）。検知されなくなった靴型がある場合（Ｓ５０８Ｙｅｓ）は、当該靴型に対応する滞在データを更新し（Ｓ５０９）、状態を「移動」にして図示しない移動タイマーを設定する（Ｓ５１０）。移動タイマーとは、当該靴型が本システムから遠くに離れたと判断する時間を測定するためのタイマーである。
【００４７】
その後、移動タイマーが動作すると（Ｓ５１１Ｙｅｓ）、当該滞在データの状態を「終了」に変更する（Ｓ５１２）。そして、動線解析を終了しない場合（Ｓ５１３Ｙｅｓ）は、最初から処理を繰り返す。
【００４８】
なお、本実施の形態では、靴型データ解析部２０３、靴型属性データ記憶部２０５を動線解析サーバ２０に備えるものとして説明しているが、靴型データ解析部２０３、靴型属性データ記憶部２０５を靴型属性判断部として靴型識別装置１０に備えてもよい。
【００４９】
また、本実施の形態では、表示装置４０周辺にいる顧客の属性に基づき再生すべきコンテンツを決定しているが、単純に顧客の総数に応じて再生すべきコンテンツを決定してもよい。
【００５０】
また、本実施の形態では、靴型に基づき属性を判断しているが、裸足の場合であっても、同様の処理を行うことができるとこは云うまでもない。
【００５１】
また、本実施の形態では、店舗内でのコンテンツ配信システムを説明したが、屋外やイベント会場などにおいても利用可能であることは云うまでもない。
【００５２】
以上、本実施の形態では本発明の一例を示したが、これに限るものではない。
【符号の説明】
【００５３】
１０  靴型識別装置、１０１  圧力検知部、１０３  靴型情報生成部、１０５  靴型データ送信部、２０  動線解析サーバ、２０１  靴型データ受信部、２０３  靴型データ解析部、２０５  靴型属性データ記憶部、２０７  滞在データ記憶部、２０９  滞在顧客情報送信部、３０  コンテンツ配信サーバ、３０１  滞在顧客情報受信部、３０３  再生コンテンツ判断部、３０５  属性・コンテンツ対応テーブル記憶部、３０７  コンテンツ再生履歴情報記憶部、３０９  表示装置制御情報送信部、４０  表示装置、４０１  表示装置制御情報受信部、４０３  コンテンツ再生部、４０５  コンテンツ記憶部。
【図１】
2010218177.tif 000003
【図２】
2010218177.tif 000004
【図３】
2010218177.tif 000005